【手続補正書】
【提出日】平成29年4月27日(2017.4.27)
【手続補正１】
【補正対象書類名】明細書
【補正対象項目名】０００８
【補正方法】変更
【補正の内容】
【０００８】
本発明は、印刷データを受信した画像形成装置ではない他の画像形成装置において、当該印刷データを表示するためのアイコンを容易に表示可能な仕組みを提供することを目的とする。
【手続補正２】
【補正対象書類名】明細書
【補正対象項目名】０００９
【補正方法】変更
【補正の内容】
【０００９】
本発明は、画像形成装置において印刷可能な形式に印刷データを変換して送信するクライアント装置及び他の画像形成装置と通信可能な画像形成装置であって、前記クライアント装置より前記印刷データを受信して記憶する記憶手段と、前記記憶手段により記憶された印刷データのユーザのユーザアイコンを表示するユーザアイコン表示手段と、前記ユーザアイコン表示手段により表示されたユーザアイコンに対する操作を受け付けた場合に、前記記憶手段により記憶された、当該ユーザアイコンの示すユーザの印刷データ一覧を表示する一覧表示手段と、前記一覧表示手段により表示された印刷データ一覧において選択された印刷データを印刷する印刷手段と、当該印刷データを印刷可能な他の画像形成装置に対して、前記記憶手段により記憶された印刷データのユーザのユーザアイコンを表示させるための通知をする通知手段と、を備え、前記ユーザアイコン表示手段は更に、他の画像形成装置の前記通知手段により前記通知を受け付けたユーザアイコンを表示することを特徴とする。
【手続補正３】
【補正対象書類名】明細書
【補正対象項目名】００１０
【補正方法】変更
【補正の内容】
【００１０】
本発明により、印刷データを受信した画像形成装置ではない他の画像形成装置において、当該印刷データを表示するためのアイコンを容易に表示可能な仕組みを提供することができる。
【手続補正４】
【補正対象書類名】特許請求の範囲
【補正対象項目名】全文
【補正方法】変更
【補正の内容】
【特許請求の範囲】
【請求項１】
画像形成装置において印刷可能な形式に印刷データを変換して送信するクライアント装置及び他の画像形成装置と通信可能な画像形成装置であって、
前記クライアント装置より前記印刷データを受信して記憶する記憶手段と、
前記記憶手段により記憶された印刷データのユーザのユーザアイコンを表示するユーザアイコン表示手段と、
前記ユーザアイコン表示手段により表示されたユーザアイコンに対する操作を受け付けた場合に、前記記憶手段により記憶された、当該ユーザアイコンの示すユーザの印刷データ一覧を表示する一覧表示手段と、
前記一覧表示手段により表示された印刷データ一覧において選択された印刷データを印刷する印刷手段と、
当該印刷データを印刷可能な他の画像形成装置に対して、前記記憶手段により記憶された印刷データのユーザのユーザアイコンを表示させるための通知をする通知手段と、
を備え、
前記ユーザアイコン表示手段は更に、他の画像形成装置の前記通知手段により前記通知を受け付けたユーザアイコンを表示することを特徴とする画像形成装置。
【請求項２】
前記記憶手段により記憶された印刷データのユーザのユーザアイコンの表示設定を、当該ユーザアイコンを表示する設定とする設定手段と、
を備え、
前記設定手段は、前記通知手段による前記通知を受け付けたユーザアイコンの表示設定を、当該ユーザアイコンを表示する設定とし、
前記ユーザアイコン表示手段は、前記設定手段により表示する設定がされたユーザアイコンを表示することを特徴とする請求項１に記載の画像形成装置。
【請求項３】
前記クライアント装置から、前記クライアント装置が利用可能なプリンタドライバの情報を取得する取得手段と、
を備え、
前記通知手段は、前記取得手段により取得された前記プリンタドライバの情報が示す画像形成装置である、前記記憶手段により記憶された印刷データを印刷可能な他の画像形成装置に対して、当該印刷データのユーザのユーザアイコンを表示させるための通知をすることを特徴とする請求項１又は２に記載の画像形成装置。
【請求項４】
自機画像形成装置及び前記通知手段により前記通知がされた他の画像形成装置において印刷データが記憶されていないユーザのユーザアイコンを非表示にするための通知を、当該他の画像形成装置に対して行う非表示通知手段と、
を備え、
前記ユーザアイコン表示手段は更に、他の画像形成装置の前記非表示通知手段により通知を受け付けたユーザアイコンを非表示にすることを特徴とする請求項１乃至３のいずれか１項に記載の画像形成装置。
【請求項５】
画像形成装置において印刷可能な形式に印刷データを変換して送信するクライアント装置及び他の画像形成装置と通信可能な画像形成装置の制御方法であって、
前記クライアント装置より前記印刷データを受信して記憶する記憶工程と、
前記記憶工程により記憶された印刷データのユーザのユーザアイコンを表示するユーザアイコン表示工程と、
前記ユーザアイコン表示工程により表示されたユーザアイコンに対する操作を受け付けた場合に、前記記憶工程により記憶された、当該ユーザアイコンの示すユーザの印刷データ一覧を表示する一覧表示工程と、
前記一覧表示工程により表示された印刷データ一覧において選択された印刷データを印刷する印刷工程と、
当該印刷データを印刷可能な他の画像形成装置に対して、前記記憶工程により記憶された印刷データのユーザのユーザアイコンを表示させるための通知をする通知工程と、
を含み、
前記ユーザアイコン表示工程は更に、他の画像形成装置の前記通知工程により前記通知を受け付けたユーザアイコンを表示することを特徴とする制御方法。
【請求項６】
画像形成装置において印刷可能な形式に印刷データを変換して送信するクライアント装置及び他の画像形成装置と通信可能な画像形成装置で実行が可能なプログラムであって、
前記クライアント装置を、
前記クライアント装置より前記印刷データを受信して記憶する記憶手段と、
前記記憶手段により記憶された印刷データのユーザのユーザアイコンを表示するユーザアイコン表示手段と、
前記ユーザアイコン表示手段により表示されたユーザアイコンに対する操作を受け付けた場合に、前記記憶手段により記憶された、当該ユーザアイコンの示すユーザの印刷データ一覧を表示する一覧表示手段と、
前記一覧表示手段により表示された印刷データ一覧において選択された印刷データを印刷する印刷手段と、
当該印刷データを印刷可能な他の画像形成装置に対して、前記記憶手段により記憶された印刷データのユーザのユーザアイコンを表示させるための通知をする通知手段として機能させ、
前記ユーザアイコン表示手段を更に、他の画像形成装置の前記通知手段により前記通知を受け付けたユーザアイコンを表示する手段として機能させるためのプログラム。
【請求項７】
画像形成装置において印刷可能な形式に印刷データを変換して送信するクライアント装置と複数の画像形成装置を含む画像形成システムであって、
第１の画像形成装置は、
前記クライアント装置より前記印刷データを受信して記憶する記憶手段と、
当該印刷データを印刷可能な他の画像形成装置に対して、前記記憶手段により記憶された印刷データのユーザのユーザアイコンを表示させるための通知をする通知手段と、
を備え、
第２の画像形成装置は、
前記第１の画像形成装置の前記通知手段により前記通知を受け付けたユーザアイコンを表示するユーザアイコン表示手段と、
前記ユーザアイコン表示手段により表示されたユーザアイコンに対する操作を受け付けた場合に、前記第１の画像形成装置の記憶手段により記憶された、当該ユーザアイコンの示すユーザの印刷データ一覧を表示する一覧表示手段と、
前記一覧表示手段により表示された印刷データ一覧において選択された印刷データを印刷する印刷手段と、
を備えることを特徴とする画像形成システム。
【請求項８】
画像形成装置において印刷可能な形式に印刷データを変換して送信するクライアント装置と複数の画像形成装置を含む画像形成システムの制御方法であって、
第１の画像形成装置において、
前記クライアント装置より前記印刷データを受信して記憶する記憶工程と、
当該印刷データを印刷可能な他の画像形成装置に対して、前記記憶工程により記憶された印刷データのユーザのユーザアイコンを表示させるための通知をする通知工程と、
を含み、
第２の画像形成装置において、
前記第１の画像形成装置の前記通知工程により前記通知を受け付けたユーザアイコンを表示するユーザアイコン表示工程と、
前記ユーザアイコン表示工程により表示されたユーザアイコンに対する操作を受け付けた場合に、前記第１の画像形成装置の記憶工程により記憶された、当該ユーザアイコンの示すユーザの印刷データ一覧を表示する一覧表示工程と、
前記一覧表示工程により表示された印刷データ一覧において選択された印刷データを印刷する印刷工程と、
を含むことを特徴とする制御方法。
【請求項９】
画像形成装置において印刷可能な形式に印刷データを変換して送信するクライアント装置と複数の画像形成装置を含む画像形成システムを制御するためのプログラムであって、
第１の画像形成装置を、
前記クライアント装置より前記印刷データを受信して記憶する記憶手段と、
当該印刷データを印刷可能な他の画像形成装置に対して、前記記憶手段により記憶された印刷データのユーザのユーザアイコンを表示させるための通知をする通知手段として機能させ、
第２の画像形成装置を、
前記第１の画像形成装置の前記通知手段により前記通知を受け付けたユーザアイコンを表示するユーザアイコン表示手段と、
前記ユーザアイコン表示手段により表示されたユーザアイコンに対する操作を受け付けた場合に、前記第１の画像形成装置の記憶手段により記憶された、当該ユーザアイコンの示すユーザの印刷データ一覧を表示する一覧表示手段と、
前記一覧表示手段により表示された印刷データ一覧において選択された印刷データを印刷する印刷手段として機能させるためのプログラム。